(57)【要約】【課題】立体画像の撮影が可能な撮像装置において、使用者からの信頼性を高めることを目的とする。【解決手段】撮像装置は、第１の撮像ユニットと、第２の撮像ユニットと、バッテリを収容する電源ブロックと、第１の撮像ユニットと第２の撮像ユニットと電源ブロックを収容する外装ケースとを備え、第１の撮像ユニットと電源ブロックとの間隔が、第２の撮像ユニットと電源ブロックとの間隔より大きくなるように、第１の撮像ユニットと第２の撮像ユニットと、電源ブロックを配置する。第１の撮像ユニットは撮影時に常時駆動し、第２の撮像ユニットは立体画像の撮影時に駆動する。【選択図】図６
2014232125.tif 000002
【特許請求の範囲】
【請求項１】
第１の撮像ユニットと、
第２の撮像ユニットと、
バッテリを収容する電源ブロックと、
前記第１の撮像ユニットと前記第２の撮像ユニットと前記電源ブロックを収容する外装ケースとを備え、
前記第１の撮像ユニットと前記電源ブロックとの間隔が、前記第２の撮像ユニットと前記電源ブロックとの間隔より大きくなるように、前記第１の撮像ユニットと前記第２の撮像ユニットと、前記電源ブロックを配置することを特徴とする撮像装置。
【請求項２】
前記第１の撮像ユニットは撮影時に常時駆動し、前記第２の撮像ユニットは立体画像の撮影時に駆動する請求項１に記載の撮像装置。
【請求項３】
さらに、前記第１の撮像ユニットと前記電源ブロックとの間隔が、前記第１の撮像ユニットと前記第２の撮像ユニットとの間隔より大きくなるように配置する請求項１または請求項２に記載の撮像装置。
【請求項４】
メモリーカードを収容するカードスロットを備え、
前記第１の撮像ユニットと前記カードスロットとの間隔が、前記第２の撮像ユニットと前記カードスロットとの間隔より大きくなるように前記カードスロットを配置する請求項１ないし請求項３に記載の撮像装置。
【請求項５】
フラッシュを発光させるためのストロボコンデンサを備え、
前記第１の撮像ユニットと前記ストロボコンデンサとの間隔が、前記第２の撮像ユニットと前記ストロボコンデンサとの間隔より大きくなるように、前記ストロボコンデンサを配置する請求項１ないし請求項４に記載の撮像装置。
【発明の詳細な説明】
【技術分野】
【０００１】
本発明は、複数の視点から複数の撮像手段により撮影可能な撮像装置に関する。
【背景技術】
【０００２】
複数の視点から複数の撮像手段で撮影可能な撮像装置として、２個の光学系と２個の撮像素子を搭載したデジタルカメラが知られている（例えば、特許文献１参照）。
【０００３】
特許文献１に記載のデジタルカメラは、２個の光学系と２個のＣＣＤ（Ｃｈａｒｇｅ  Ｃｏｕｐｌｅｄ  Ｄｅｖｉｃｅ）素子によるイメージセンサなどの撮像素子を有し、同一被写体を左右の２つの視点から撮影可能となっている。
【先行技術文献】
【特許文献】
【０００４】
【特許文献１】特開２００８−１６７０６６号公報
【発明の概要】
【発明が解決しようとする課題】
【０００５】
本発明はこのような立体画像の撮影が可能な撮像装置において、使用者からの信頼性を高めることを目的とする。
【課題を解決するための手段】
【０００６】
このような目的を達成するために本発明の撮像装置は、第１の撮像ユニットと、第２の撮像ユニットと、バッテリを収容する電源ブロックと、前記第１の撮像ユニットと前記第２の撮像ユニットと前記電源ブロックを収容する外装ケースとを備え、前記第１の撮像ユニットと前記電源ブロックとの間隔が、前記第２の撮像ユニットと前記電源ブロックとの間隔より大きくなるように、前記第１の撮像ユニットと前記第２の撮像ユニットと、前記電源ブロックを配置する。
【発明の効果】
【０００７】
本発明によれば、使用者がバッテリをカメラ本体から取り出した際に、周辺温度との温度差から、違和感を覚える可能性を低減することができ、使用者からの信頼性を高めることができる。
【図面の簡単な説明】
【０００８】
【図１】本発明の一実施の形態に係るデジタルカメラ１００の外観構成を示す正面斜視図
【図２】本発明の一実施の形態に係るカメラ本体３の構成を示す正面斜視図
【図３】本発明の一実施の形態に係るカメラ本体３の構成を示す背面斜視図
【図４】本発明の一実施の形態に係るデジタルカメラ１００の概略断面図
【図５】本発明の一実施の形態に係るデジタルカメラ１００の回路ブロックの構成を含めて示す概略構成図
【図６】本発明の一実施の形態に係るデジタルカメラ１００の概略断面図
【発明を実施するための形態】
【０００９】
以下、本発明の一実施の形態に係る撮像装置について、デジタルカメラを例にとって図面を用いて説明する。
【００１０】
まず、本実施の形態におけるデジタルカメラの構成について説明する。
【００１１】
図１は本発明の一実施の形態に係るデジタルカメラ１００の斜視図である。図２は本発明の一実施の形態に係るカメラ本体３の正面斜視図である。図３は、本発明の一実施の形態に係るカメラ本体３の背面斜視図である。ここで、図２は、デジタルカメラ１００より、前面ケース１を外した図である。また、図３は、デジタルカメラ１００より、前面ケース１、背面ケース、メイン回路基板を外した図である。
【００１２】
図１、図２に示すように、デジタルカメラ１００は、前面ケース１と背面ケース２とからなる外装ケース内に、カメラ本体３を収容することにより構成されている。
【００１３】
カメラ本体３は、第１の撮像ユニット４と第２の撮像ユニット５とを有し、第１の撮像ユニット４と第２の撮像ユニット５は、所定の間隔をあけて外装ケース内部の金属製のフレーム６に取り付けることにより構成されている。
【００１４】
カメラ本体３は、デジタルカメラの電源となるバッテリ（図示せず）を収容した電源ブロック７と、カメラ本体３の動作コントロールを行うための回路ブロック８と、撮影した静止画像や動画像を記録するメモリーカード（図示せず）を収容したカードスロット２０と、ストロボフラッシュを発光するために電気を蓄えたストロボコンデンサ３０とを備え、それぞれ外装ケース内の空間に配置されている。ここで、電源ブロック７は、カメラ本体３で使用するための電力を各部に供給するもので、バッテリを収容する以外に、ＡＣ電源から直流電源に変換する電源アダプタが接続される電源端子が配置されている。
【００１５】
第１の撮像ユニット４は、外装ケースの端部（図１においては右端）に配置される。第２の撮像ユニット５は、外装ケースのほぼ中央部に配置される。また、第１の撮像ユニット４は、デジタルカメラの撮影時に常時駆動する。第２の撮像ユニット５は、第１の撮像ユニット４とともに立体画像を撮影する時に主に駆動する。
【００１６】
外装ケースの上面部には、主電源スイッチ９ａやレリーズ釦９ｂからなる操作部９が設けられる。前面ケース１には、第１の撮像ユニット４と第２の撮像ユニット５の撮影用の窓１ａを開閉するために上下にスライド可能なスライドカバー１０が配置されている。
【００１７】
前記外装ケースの底面部には、デジタルカメラを三脚や一脚などの支持具に設置する際に使用されるステンレス合金などの金属製の支持具取付部１１が外部に露出するように配置されている。支持具取付部１１は、フレーム６に固定され、三脚や一脚などの支持具に固定される部分のみが外装ケースの底面部に露出している。
【００１８】
背面ケース２の底面部には、電源ブロック７の空間にバッテリを収容するときやカードスロット２０の空間にメモリーカードを収容するときに、空間の外部への開口部を開閉するための開閉蓋１２が設けられている。デジタルカメラの使用者は、開閉蓋１２を開閉することにより、電源ブロック７へのバッテリの着脱およびカードスロット２０へのメモリーカードの着脱を行うことができる。
【００１９】
図４は、デジタルカメラ１００の概略構成図である。図４は、デジタルカメラ１００の概略断面図である。図４は、第１の撮像ユニット４と第２の撮像ユニット５部分を縦方向に切断した状態を示している。図５はカメラ本体３の動作コントロールを行う回路ブロックの構成を含めて示す概略構成図である。
【００２０】
図２、図４に示すように、第１の撮像ユニット４および第２の撮像ユニット５は、前面ケース１の撮影用窓１ａに対向する上部に配置される。第１の撮像ユニット４は、レンズ４１ａ、屈曲光学系４１ｂとからなるレンズユニットと、下部の位置に配置され、レンズユニットで受けた光学像を画像データに変換するＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ  Ｉｍａｇｅ  Ｓｅｎｓｏｒ）によるイメージセンサ４２と、イメージセンサ４２がそれぞれ実装される回路基板４３と、レンズユニットとイメージセンサ４２の間に配置されるレンズ群４４および絞りユニット４５と、これらの構成部品を収容するユニット筐体４６により構成されている。
【００２１】
また、レンズユニットは、撮影用窓１ａを通して第１の撮像ユニット４に入射する光学像をイメージセンサ４２に導くために、被写体の光学像Ａ１を受けるレンズ４１ａと屈曲光学系４１ｂとを備えている。さらに、イメージセンサ４２が実装される回路基板４３には、イメージセンサ４２の制御を行うとともに、イメージセンサ４２から得られる画像データを処理する回路が実装されている。
【００２２】
同様に、第２の撮像ユニット５は、レンズ５１ａと屈曲光学系５１ｂとからなるレンズユニットと、下部の位置に配置され、レンズユニットで受けた光学像を画像データに変換するＣＭＯＳによるイメージセンサ５２と、イメージセンサ５２がそれぞれ実装される回路基板５３と、レンズユニットとイメージセンサ５２の間に配置されるレンズ群５４および絞りユニット５５と、これらの構成部品を収容するユニット筐体５６により構成されている。
【００２３】
レンズユニットは、撮影用窓１ａを通して第２の撮像ユニット５に入射する光学像をイメージセンサ５２に導くために、被写体の光学像Ａ１を受けるレンズ５１ａと屈曲光学系５１ｂとを備えている。さらに、イメージセンサ５２が実装される回路基板５３には、イメージセンサ５２の制御を行うとともに、イメージセンサ５２から得られる画像データを処理する回路が実装されている。
【００２４】
図４において、液晶ディスプレイなどにより構成されるカメラモニタ１３は、背面ケース２の後面に配置されている。
【００２５】
次に、図５を用いて、カメラ本体３の回路ブロック８の構成およびその動作を説明する。
【００２６】
イメージセンサ４２、５２は、レンズユニットを介して入射される被写体の光学像を静止画データおよび動画データなどの画像データに変換する。ここで、イメージセンサ４２、５２は、回路基板４３、５３に搭載したタイミング信号発生器１４からのタイミング信号に基づいて動作し、光学像を画像データに変換する。
【００２７】
イメージセンサ４２、５２で変換された画像データは、回路基板４３、５３それぞれに搭載されるＡＤコンバーター１５でデジタル信号に変換され、カメラコントローラー１６に送られて画像処理が施される。ここで言う画像処理とは、例えば、ガンマ補正処理、ホワイトバランス補正処理、キズ補正処理、ＹＣ変換処理、電子ズーム処理、ＪＰＥＧ圧縮処理等である。
【００２８】
カメラコントローラー１６は、操作部９からの指示を受けてカメラ本体３の各部を制御する。具体的には、カメラコントローラー１６は、第１の撮像ユニット４および第２の撮像ユニット５を制御するための信号をレンズコントローラー１７に送信するとともに、レンズコントローラー１７から各種信号を受信する。駆動部１８は、レンズコントローラー１７の制御信号に基づいて、第１の撮像ユニット４および第２の撮像ユニット５の光学系のレンズ群の駆動を行うとともに、絞りユニット４５、５５の制御を行う。絞りユニット４５、５５は、光学系を透過する光の量を調整する光量調整部材である。光学系のレンズ群は、ズームレンズ群と、ＯＩＳ（Ｏｐｔｉｃａｌ  Ｉｍａｇｅ  Ｓｔａｂｉｌｉｚｅｒ）レンズ群と、フォーカスレンズ群とを有する。
【００２９】
カメラコントローラー１６に接続されたメモリ１９は、第１の撮像ユニット４および第２の撮像ユニット５の光学系の各レンズ群および絞りユニット４５、５５の駆動制御を行う場合に、データを一時保存したり、カメラコントローラー１６を制御するプログラムやパラメータを保存したりするために使用される。
【００３０】
カードスロット２０には、メモリーカードが着脱自在に装着される。カードスロット２０は、カメラコントローラー１６から送信される制御信号に基づいて、メモリーカードを制御し、イメージセンサ４２、５２から得られる静止画データや動画データの書き込み、読出しを行う。なお、イメージセンサ４２、５２で生成される静止画データおよび動画データなどの画像データにおいて、動画データは、スルー画像の表示にも用いられる。ここで、スルー画像とは、動画データのうちメモリーカードにデータを記録されない画像で、カメラコントローラー１６で画像処理され、動画像または静止画像の構図を決めるためにカメラモニタ１３に表示される。
【００３１】
次に、デジタルカメラ１００の構造上の特徴をさらに詳細に説明する。
【００３２】
近年、デジタルカメラにおいては、高画質化や動画撮影対応により、イメージセンサやカメラコントローラーの消費電力が大きくなり、発熱量も大きくなってきている。本発明の一実施形態のデジタルカメラ１００は、２つの撮像ユニットを備えていることから、撮像ユニットにおける発熱量が２倍となるとともに、撮影した画像を処理するカメラコントローラー１６における発熱量も従来に比べて大きくなってしまう。
【００３３】
発熱量が増加すると、外装ケースの内側に配置されているバッテリは、温度上昇が大きくなる。そのため、使用者が、バッテリを着脱する際に、バッテリの温度と周辺温度との温度差から違和感を覚え、製品に対して不信感を抱くおそれがある。また、バッテリは熱に弱い部品であるため、温度が上昇することにより、寿命の低下等の性能劣化の問題や、発煙、爆発等の安全性の問題が発生する。
【００３４】
本発明者らは、このような課題に対し、バッテリの温度上昇を低減させる構成について検討と実験を行った。デジタルカメラ１００においては、通常撮影時は第１の撮像ユニット４のみが駆動し、立体画像撮影時には第１の撮像ユニット４と第２の撮像ユニット５が駆動する。従って、常時駆動する第１の撮像ユニット４近傍の温度に比べ、第２の撮像ユニット５近傍の温度は比較的上昇していないことが判明した。
【００３５】
そこで、本実施形態に係るデジタルカメラ１００では、バッテリを収容する電源ブロック７を、第２の撮像ユニット５より、第１の撮像ユニット４から遠ざけるように配置する。具体的には、第１の撮像ユニット４と電源ブロック７との間隔が第２の撮像ユニット５と電源ブロック７との間隔より大きくなるように、電源ブロック７を配置する。
【００３６】
図６はデジタルカメラ１００を底面側から見た概略断面図である。
【００３７】
図６に示すように、第１の撮像ユニット４と電源ブロック７との間隔をＬ１、第２の撮像ユニット５と電源ブロック７との間隔をＬ２としたとき、Ｌ１＞Ｌ２となるように、電源ブロック７を外装ケース内に配置する。
【００３８】
また、図６に示すように、第１の撮像ユニット４と第２の撮像ユニット５との間隔をＬ３としたとき、Ｌ１＞Ｌ３となるように電源ブロック７を配置する。
【００３９】
電源ブロック７を上記のように配置することにより、常時駆動している第１の撮像ユニット４で発生した熱が電源ブロック７に伝わり難くなる。そのため、電源ブロック７に収容されたバッテリの温度上昇を抑制することができる。従って、使用者がバッテリに触れた際に、周辺温度との温度差から違和感を覚えるおそれを防ぐことができる。また、バッテリの温度上昇に伴う性能劣化を防ぐことができる。また、バッテリの温度上昇に伴う発煙や爆発等を回避でき、安全性の低下を防ぐことができる。
【００４０】
すなわち、使用者がバッテリ着脱時に、バッテリが外装ケースの他の部分に比べて温度が高いという違和感を覚えることが少なくなり、製品に対する信頼性を確保することができる。
【００４１】
また、バッテリと同様に、着脱部品であるメモリーカードも、使用者がカメラから着脱する際に、周辺温度との温度差から違和感を覚え、製品に対して不信感を抱くおそれがある。メモリーカードは熱に弱く、温度上昇によりデータの転送エラーや転送速度の低下も発生する。
【００４２】
そのため、本実施形態に係るデジタルカメラ１００では、メモリーカードを収容するカードスロット２０を、第２の撮像ユニット５より、第１の撮像ユニット４から遠ざけるように配置する。具体的には第１の撮像ユニット４とカードスロット２０との間隔が第２の撮像ユニット５とカードスロット２０との間隔より大きくなるように、カードスロット２０を配置する。
【００４３】
図６に示すように、第１の撮像ユニット４とカードスロット２０との間隔をＬ４、第２の撮像ユニット５とカードスロット２０との間隔をＬ５としたとき、Ｌ４＞Ｌ５となるようにカードスロット２０を外装ケース内に配置する。また、図６に示すように、Ｌ４＞Ｌ３となるようにカードスロット２０を配置する。
【００４４】
カードスロット２０を上記のように配置することにより、常時駆動している第１の撮像ユニット４で発生した熱がカードスロット２０に伝わり難いため、カードスロット２０に収容されたメモリーカードの温度上昇を抑制することができる。従って、使用者がメモリーカードに触れた際に、周辺温度との温度差から違和感を覚えるおそれを防ぐことができる。また、メモリーカードの温度上昇に伴う性能劣化を防ぐことができる。
【００４５】
すなわち、使用者がメモリーカード着脱時に、メモリーカードが外装ケースの他の部分に比べて温度が高いという違和感を覚えることが少なくなり、製品に対する信頼性を確保することができる。
【００４６】
また、発明者らは、ストロボコンデンサの配置についても検討した。
【００４７】
図６に示すように、第１の撮像ユニット４とストロボコンデンサ３０との間隔をＬ６、第２の撮像ユニット５とストロボコンデンサ３０との間隔をＬ７としたとき、Ｌ６＞Ｌ７となるようにストロボコンデンサ３０を外装ケース内に配置する。また、図６に示すように、Ｌ６＞Ｌ３となるようにストロボコンデンサ３０を配置する。
【００４８】
ストロボコンデンサ３０を図６のように配置することにより、常時駆動している第１の撮像ユニット４で発生した熱がストロボコンデンサに伝わり難いため、ストロボコンデンサ３０の温度上昇を抑制することができる。これによりストロボコンデンサの寿命低下を防ぐことができ、使用者の製品に対する信頼性を確保することができる。
【００４９】
ここで、本実施形態に係るデジタルカメラ１００の効果についてまとめる。
【００５０】
まず、第１の撮像ユニット４と電源ブロック７との間隔（Ｌ１）が、第２の撮像ユニット５と電源ブロック７との間隔（Ｌ２）より大きくなるように、電源ブロック７を外装ケース内に配置する。これにより、常時駆動している第１の撮像ユニット４で発生した熱が電源ブロック７に伝わり難くなる。この結果、電源ブロック７に収容されたバッテリの温度上昇を抑制することができる。従って、使用者がバッテリに触れた際に、周辺温度との温度差から違和感を覚えるおそれを防ぐことができる。また、バッテリの温度上昇に伴う性能劣化を防ぐことができる。さらに、バッテリの温度上昇に伴う安全性の低下を防ぐことができる。
【００５１】
次に、第１の撮像ユニット４とカードスロット２０との間隔（Ｌ４）が、第２の撮像ユニット５とカードスロット２０との間隔（Ｌ５）より大きくなるようにカードスロット２０を配置する。これにより、常時駆動している第１の撮像ユニット４で発生した熱がカードスロット２０に伝わり難いため、カードスロット２０に収容されたメモリーカードの温度上昇を抑制することができる。従って、使用者がメモリーカードに触れた際に、周辺温度との温度差から違和感を覚えるおそれを防ぐことができる。また、メモリーカードの温度上昇に伴う性能劣化を防ぐことができる。
【００５２】
さらに、第１の撮像ユニット４とストロボコンデンサ３０との間隔（Ｌ６）が、第２の撮像ユニット５とストロボコンデンサ３０との間隔（Ｌ７）より大きくなるようにストロボコンデンサ３０を配置する。これにより、常時駆動している第１の撮像ユニット４で発生した熱がストロボコンデンサ３０に伝わり難いため、ストロボコンデンサ３０の温度上昇を抑制することができる。これにより、ストロボコンデンサの寿命低下を防ぐことができ、使用者の製品に対する信頼性を確保することができる。
【００５３】
なお、本発明の実施形態は、前述の実施形態に限定されず、本発明の趣旨を逸脱しない範囲で、種々の変形および修正が可能である。
【産業上の利用可能性】
【００５４】
以上のように本発明によれば、立体画像の撮影が可能な撮像装置の信頼性を高める上で有用な発明である。
【符号の説明】
【００５５】
１  前面ケース
２  背面ケース
３  カメラ本体
４  第１の撮像ユニット
５  第２の撮像ユニット
６  フレーム
７  電源ブロック
８  回路ブロック
９  操作部
１０  スライドカバー
１１  支持具取付部
１２  開閉蓋
１３  カメラモニタ
２０  カードスロット
３０  ストロボコンデンサ
４１ａ、５１ａ  レンズ
４１ｂ、５１ｂ  屈曲光学系
４２、５２  イメージセンサ
４３、５３  回路基板
４４、５４  レンズ群
４５、５５  絞りユニット
４６、５６  ユニット筐体
１００  デジタルカメラ（撮像装置の一例）
【図１】
2014232125.tif 000003
【図２】
2014232125.tif 000004
【図３】
2014232125.tif 000005
【図４】
2014232125.tif 000006
【図５】
2014232125.tif 000007
【図６】
2014232125.tif 000008